(57)【要約】【課題】ユーザの好みに応じて柔軟に対応できる折り畳み式のマットレスを提供する。【解決手段】折り畳み式のマットレスは、収納室１１０が複数連設される第１のカバー１１と、複数の収納室１１０のそれぞれの内部に、互いに分離可能に積層配置される複数の収納体と、を備える。収納室１１０は、前記収納体を出し入れ可能とする開口部１１０ａと、開口部１１０ａを開閉する開閉具１１０ｂと、を有する。前記複数の収納体には、吸湿発熱性繊維を有する発熱性シートと、第１のクッション体と、前記第１のクッション体より硬い第２のクッション体と、樹脂素材で構成され、前記第１のクッション体及び前記第２のクッション体よりも通気性が高い三次元網状構造体と、が含まれる。【選択図】図２
0003208227.tif 000002
【実用新案登録請求の範囲】
【請求項１】
折り畳み式のマットレスであって、
収納室が複数連設される第１のカバーと、
複数の前記収納室のそれぞれの内部に、互いに分離可能に積層配置される複数の収納体と、
を備え、
前記収納室は、
前記収納体を出し入れ可能とする開口部と、
前記開口部を開閉する開閉具と、
を有し、
前記複数の収納体には、
吸湿発熱性繊維を有する発熱性シートと、
第１のクッション体と、
前記第１のクッション体より硬い第２のクッション体と、
樹脂素材で構成され、前記第１のクッション体及び前記第２のクッション体よりも通気性が高い三次元網状構造体と、
が含まれる、マットレス。
【請求項２】
前記第１のカバーを覆う第２のカバーを更に備える、請求項１に記載のマットレス。
【請求項３】
前記第１のクッション体及び前記第２のクッション体は固綿で構成される、請求項１又は２に記載のマットレス。
【請求項４】
前記発熱性シートは、前記第１のクッション体及び前記第２のクッション体よりも厚みが薄く設けられ、
前記発熱性シートと前記第１のカバーとの間の摩擦係数は、前記発熱性シートと前記第１のクッション体との間の摩擦係数、及び、前記発熱性シートと前記第２のクッション体との間の摩擦係数よりも小さい、請求項１から３のいずれか１項に記載のマットレス。
【請求項５】
前記第１クッション体、前記第２クッション体、及び、前記三次元網状構造体のうちの少なくともいずれか１つは、個別カバーに覆われて前記収納室に収納されている、請求項１から３のいずれか１項に記載のマットレス。
【考案の詳細な説明】
【技術分野】
【０００１】
本考案は、折り畳み式のマットレスに関する。
【背景技術】
【０００２】
従来、折り畳み式のマットレスが知られる。例えば特許文献１には、複数個のクッション材を、連設した複数枚の袋状カバーに各収納して複数個のマットレス構成体を折り畳み自在に連結したマットレスが開示される。各袋状カバーに収納されるクッション材は、複数の樹脂を積層した構成である。複数の樹脂は積層順が決まっている。
【先行技術文献】
【特許文献】
【０００３】
【特許文献１】実開平７−１８６５６号公報
【考案の概要】
【考案が解決しようとする課題】
【０００４】
折り畳み式のマットレスを使用するユーザの好みは様々である。従来のマットレスのように、積層順が固定されていると、ユーザの好みに応じた対応が行い難い。また、従来のマットレスは、それ単体で、季節に応じて異なる感覚を与えることができない。このために、ユーザは、季節ごとに異なるマットレスを準備するか、例えば電気毛布などの部材を適宜マットレス上に配置する必要がある。
【０００５】
以上の点に鑑みて、本考案の目的は、ユーザの好みに応じて柔軟に対応できる折り畳み式のマットレスを提供することである。
【課題を解決するための手段】
【０００６】
上記目的を達成するために本考案のマットレスは、折り畳み式のマットレスであって、収納室が複数連設される第１のカバーと、複数の前記収納室のそれぞれの内部に、互いに分離可能に積層配置される複数の収納体と、を備え、前記収納室は、前記収納体を出し入れ可能とする開口部と、前記開口部を開閉する開閉具と、を有し、前記複数の収納体には、吸湿発熱性繊維を有する発熱性シートと、第１のクッション体と、前記第１のクッション体より硬い第２のクッション体と、樹脂素材で構成され、前記第１のクッション体及び前記第２のクッション体よりも通気性が高い三次元網状構造体と、が含まれる構成（第１の構成）になっている。
【０００７】
本構成によれば、各収納室に収納される複数の収納体が分離可能に積層配置されているために、開口部を介して複数の収納体を出し入れし、収納体の積層順を自由に変更することができる。すなわち、本構成によれば、ユーザの好みに合ったマットレスに自由に変更することができる。また、本構成によれば、各収納体の出し入れが自由であるために、例えば機能が低下した収納体や汚れた収納体を単独で新しい収納体に取り替えることができる。また、本構成によれば、収納室が複数連設されているために、収納室ごとに複数の収納体の積層順を変更することができ、体の位置に合せて異なる感覚を与えることができる。また、本構成によれば、複数の収納体の中に、発熱性シートと、通気性の良い三次元網状構造体が含まれるために、冬場には暖かさが感じられるマットレスに変更することができ、夏場には涼しさが感じられるマットレスに変更することができる。また、本構成によれば、複数の収納体の中に、硬さの異なる２つのクッション体を含むために、これらの積層順を入れ替えて、硬い感触のマットレスに変更したり、柔らかい感触のマットレスに変更したりすることができる。
【０００８】
上記第１の構成のマットレスは、前記第１のカバーを覆う第２のカバーを更に備える構成（第２の構成）であるのが好ましい。本構成によれば、第１のカバーが汚れにくく、清潔感を保つことができる。
【０００９】
上記第１又は第２の構成のマットレスにおいて、前記第１のクッション体及び前記第２のクッション体は固綿で構成されてよい（第３の構成）。本構成によれば、クッション性の良いマットレスを提供することができる。
【００１０】
上記第１から第３のいずれかの構成のマットレスにおいて、前記発熱性シートは、前記第１のクッション体及び前記第２のクッション体よりも厚みが薄く設けられ、前記発熱性シートと前記第１のカバーとの間の摩擦係数は、前記発熱性シートと前記第１のクッション体との間の摩擦係数、及び、前記発熱性シートと前記第２のクッション体との間の摩擦係数よりも小さい構成（第４の構成）であるのが好ましい。本構成によれば、発熱性シートの出し入れを行い易くすることができる。また、本構成によれば、発熱性シートの厚みが薄いにもかかわらず、発熱性シートの位置がずれたり、発熱性シートが折れ曲がったりする可能性を低減することができる。
【００１１】
上記第１から第３のいずれかの構成のマットレスにおいて、前記第１クッション体、前記第２クッション体、及び、前記三次元網状構造体のうちの少なくともいずれか１つは、個別カバーに覆われて前記収納室に収納されている構成（第５の構成）であってよい。本構成によれば、使用時において、各収納体が型崩れを起し難くすることができる。
【考案の効果】
【００１２】
本考案によれば、ユーザの好みに応じて柔軟に対応できる折り畳み式のマットレスを提供できる。
【図面の簡単な説明】
【００１３】
【図１】本考案の実施形態に係る折り畳み式のマットレスの構成を示す概略斜視図
【図２】図１に示すマットレスから外カバーを取り外した状態を示す概略斜視図
【図３】本考案の実施形態に係る折り畳み式のマットレスが折り畳まれた状態を示す概略側面図
【図４】図２のＡ−Ａ位置における概略断面図
【図５】本考案の実施形態に係る折り畳み式のマットレスが備える発熱性シートを上から見た概略平面図
【図６】本考案の他の実施形態に係る折り畳み式のマットレスの構成を説明するための概略断面図
【考案を実施するための形態】
【００１４】
以下、本考案の実施形態に係る折り畳み式のマットレスについて、図面を参照しながら詳細に説明する。なお、本考案の実施形態に係るマットレスは、ベッドのボトムの上に載せて使用するのに好適である。
【００１５】
図１は、本考案の実施形態に係る折り畳み式のマットレス１の構成を示す概略斜視図である。図１に示すように、本実施形態のマットレス１は略直方体形状の板状体である。マットレス１は外カバー１０を有する。外カバー１０は、本考案の第２のカバーの一例である。外カバー１０は、後述する内カバー１１（後述の図２参照）を覆う布製の袋体である。外カバー１０は、特に限定する趣旨ではないが、吸湿性及び速乾性を有する素材を用いて構成されるのが好ましい。外カバー１０は、取り外して簡単に洗濯することができるために、マットレス１のユーザに清潔感を与えることができる。
【００１６】
外カバー１０は、第１の開口部１０１と、第１の開口部１０１を開閉する第１の開閉具１０２とを有する。本実施形態では、第１の開閉具１０２はスライドファスナーであるが、これは例示であり、第１の開閉具１０２は、例えば面ファスナー、ボタン等の他の構成であってもよい。
【００１７】
詳細には、第１の開口部１０１は、外カバー１０の内部にマットレス１の中身が収納された状態（図１に示す状態）において側面となる位置に設けられる。より詳細には、第１の開口部１０１は、隣り合う２つの側面に亘って連続して設けられる。各側面において、第１の開口部１０１は、当該側面の長手方向の一端から他端まで延びる。なお、図１に示す、第１の開口部１０１が設けられる位置は、例示である。第１の開口部１０１は、外カバー１０から中身を取り出すことができる位置に設けられればよく、第１の開口部が設けられる位置は適宜変更されてよい。
【００１８】
図２は、図１に示すマットレス１から外カバー１０を取り外した状態を示す概略斜視図である。図２に示すように、マットレス１は内カバー１１を有する。内カバー１１は、本考案の第１のカバーの一例である。本実施形態では、内カバー１１は、布製のメッシュカバーである。これにより、例えば通気性等を確保することができる。ただし、これは例示であり、内カバー１１の構造及び素材は適宜変更されてよい。
【００１９】
詳細には、内カバー１１には、収納室１１０が複数連設される。収納室１１０は袋状である。収納室１１０は、中身が詰められた状態（図２に示す状態）で略直方体形状になる。本実施形態では、収納室１１０の数は３つである。３つの収納室１１０は、マットレス１の長手方向に並ぶ。長手方向において、各収納室１１０の間には連結片１１１が設けられ、当該連結片１１１によって隣り合う収納室１１０は連結される。長手方向において、複数の連結片１１１は上下交互に並ぶ。
【００２０】
各収納室１１０は、第２の開口部１１０ａと第２の開閉具１１０ｂとを有する。第２の開口部１１０ａは、本考案の開口部の一例である。第２の開閉具１１０ｂは、本考案の開閉具の一例である。
【００２１】
第２の開口部１１０ａは、収納室１１０に収納される収納体を出し入れ可能とする。第２の開口部１１０ａは、収納室１１０の内部に前述の収納体が収納された状態（図２に示す状態）において側面となる位置に設けられる。詳細には、第２の開口部１１０ａは、隣り合う２つの側面に亘って連続して設けられる。各側面において、第２の開口部１１０ａは、当該側面の長手方向の一端から他端まで延びる。なお、図２に示す、第２の開口部１１０ａが設けられる位置は、例示である。第２の開口部１１０ａは、収納室１１０に収納体を出し入れすることができる位置に設けられればよく、第２の開口部が設けられる位置は適宜変更されてよい。
【００２２】
第２の開閉具１１０ｂは、第２の開口部１１０を開閉する。本実施形態では、第２の開閉具１１０ｂはスライドファスナーである。ただし、これは例示であり、第２の開閉具１１０ｂは、例えば面ファスナー、ボタン等の他の構成であってもよい。
【００２３】
図３は、本考案の実施形態に係る折り畳み式のマットレス１が折り畳まれた状態を示す概略側面図である。図３においては、理解を容易とするために、外カバー１０に覆われるマットレス１の中身も破線で示す。図３に示すように、外カバー１０に覆われるマットレス１の中身は、連結片１１１の部分で折り曲げることができる。そして、この折り曲げによって、連結片１１１で繋がれる収納室１１０同士を上下に重ねることができる。この結果、図３に示すように、マットレス１は３つ折りにできる。
【００２４】
マットレス１は、複数の収納室１１０のそれぞれの内部に、互いに分離可能に積層配置される複数の収納体を備える。これについて、図４を参照しながら説明する。図４は、図２のＡ−Ａ位置における概略断面図である。なお、本実施形態では、マットレス１が有する３つの収納室１１０の中身は全て同じである。このため、一つの収納室１１０の中身を代表して説明し、他の収納室１１０の中身の説明は省略する。
【００２５】
図４に示すように、本実施形態では、各収納室１１０の内部には４つの収納体１２〜１５が収納される。４つの収納体１２〜１５には、詳細には、発熱性シート１２と、第１のクッション体１３と、第２のクッション体１４と、三次元網状構造体１５と、が含まれる。４つの収納体１２〜１５は、上下方向からの平面視において、ほぼ同サイズである。４つの収納体１２〜１５は、互いに分離可能であり、収納室１１０に個別に出し入れすることができる。
【００２６】
発熱性シート１２は、吸湿発熱性繊維を有する。吸湿発熱性繊維は、人体から発生する水分を吸収して発熱効果をもたらすことができる。吸湿発熱性繊維は、抗菌作用及び消臭機能を有するのが好ましい。吸湿発熱性繊維は、例えばアクリレート系の繊維であってよい。より具体的には、吸湿発熱性繊維は、美津濃株式会社製のブレスサーモであってよい。
【００２７】
図５は、本考案の実施形態に係る折り畳み式のマットレス１が備える発熱性シート１２を上から見た概略平面図である。図５に示すように、発熱性シート１２は、２枚の布の間に吸湿発熱性繊維を含む繊維素材を入れて縫い付けたキルティング構造のシートである。２枚の布の間に挟まれる繊維素材は、吸湿発熱性繊維だけで構成されてもよいが、本実施形態では、吸湿発熱性繊維に他の繊維素材が混合された構成になっている。他の繊維素材は、特に限定する趣旨ではないが、例えばポリエステル、ナイロン、アクリル、ウール、綿などであってよい。他の繊維素材の混合率の調節によって、発熱性シート１２の発熱度合を調節できる。
【００２８】
第１のクッション体１３は、本実施形態では、発熱性シート１２の下に配置される。第１のクッション体１３は固綿で構成される。本実施形態では、第１クッション体１３を構成する固綿は、ポリエステル１００％であるが、これに限定されず、例えば、羊毛や、ポリエステルと羊毛との混合品等で構成されてもよい。また、第１のクッション体１３は、クッション性を有すればよく、固綿以外で構成されてもよい。
【００２９】
第２のクッション体１４は、本実施形態では、第１のクッション体１３の下に配置される。第２のクッション体１４は、第１のクッション体１３より硬い。本実施形態では、第２のクッション体１４は、第１のクッション体１３と同様に固綿で構成される。ただし、第２のクッション体１４は、第１のクッション体１３よりも圧縮度合が大きい。なお、第２のクッション体１４は、クッション性を有するとともに、第１のクッション体１３より硬ければよく、固綿以外で構成されてもよい。
【００３０】
三次元網状構造体１５は、本実施形態では、第２のクッション体１４の下に配置される。三次元網状構造体１５は、樹脂素材で構成され、第１のクッション体１３及び第２のクッション体１４よりも通気性が高い。三次元網状構造体１５は、クッション性を有するのが好ましい。三次元網状構造体１５は、透水性を有するのが好ましい。三次元網状構造体１５は、例えばポリエーテルエステル系の繊維であってよい。より具体的には、三次元網状構造体１５は、例えば東洋紡株式会社製のブレスエアー（登録商標）であってよい。
【００３１】
本実施形態のマットレス１のユーザ、又は、その介助者は、各収納室１１０において、４つの収納体１２〜１５を、個別に、或いは、複数纏めて、収納室１１０の外に取り出したり、収納室１１０内に入れたりすることができる。また、４つの収納体１２〜１５は互いに分離可能であるために、上述のユーザ又は介助者は、これらの積層順を適宜変更することができる。場合によっては、４つの収納体１２〜１５のうちのいずれか１つ或いは複数が収納室１１０から取り除かれる構成に変更することも可能である。
【００３２】
例えば、ユーザがマットレス１の表面を暖かくすることを希望する場合には、本実施形態のように、発熱性シート１２を一番上に配置した構成が有効である。また、例えば、ユーザが硬いマットレス１を希望する場合には、本実施形態の構成から、第１のクッション体１３と第２のクッション体１４との上下を入れ替えることもできる。又は、第２のクッション体１４が一番上に配置される構成としてもよい。
【００３３】
また、同じユーザであっても、季節によって好みが変わる場合がある。例えば、ユーザは、冬場には暖かさを感じられるマットレスがよく、夏場には涼しさを感じられるマットレスがよいという希望を有する。本実施形態の構成は、発熱性シート１２が一番上にあるために冬場の使用に適している。夏場には、例えば、本実施形態の構成から、発熱性シート１２と三次元網状構造体１５との位置を入り替え変えればよい。これにより、涼しさを感じられるマットレスに変更できる。なお、場合によっては、本実施形態の構成から収納室１１０に収納される複数の収納体の積層順を変更することなく、マットレス１の上下を反転させてもよい。この場合にも、三次元網状構造体１５が一番上に配置されるために、ユーザは夏場に涼しさを感じることができる。
【００３４】
また、本実施形態のマットレス１は、収納室１１０ごとに４つの収納体１２〜１５の積層順を変更することができる。このために、例えば、ユーザが足の位置だけを暖かくしたいことを希望した場合には、脚側の１つ又は２つの収納室１１０を本実施形態の構成とし、他の収納室１１０は、発熱性シート１２を上から２番目以降としたり、場合によっては発熱性シート１２を取り除いたりすることも可能である。また、腰の位置だけを硬くしたい等のユーザの希望にも、収納室１１０ごとに収納体１２〜１５の積層順を適宜決定することによって対応することができる。
【００３５】
また、本実施形態のマットレス１は、収納室１１０から一部の収納体だけを抜き出して交換できる。このために、例えば、老朽化した収納体だけを新しいものに交換することができる。また、本実施形態のマットレス１によれば、一部の汚れた収納体だけを洗浄したり、新しいものに交換したりすることができる。
【００３６】
本実施形態では、発熱性シート１２は、第１のクッション体１３及び第２のクッション体１４よりも厚みが薄く設けられる（図４参照）。厚みの薄いシート体は、一般に、横ずれを起したり、折れ重なったりし易い。この点、本実施形態では、発熱性シート１２と内カバー１１との間の摩擦係数が、発熱性シート１２と第１クッション体１３との間の摩擦係数より小さくなっている。このために、内カバー１１が動いても、発熱性シート１２は、第１クッション体１３に対して横ずれを起こし難く、折れ重なりも発生し難い。また、収納室１１０に対して発熱性シート１２を出し入れする場合において、発熱性シート１２が内カバー１１に対して滑り性が良いために、発熱性シート１２の出し入れをスムーズに行うことができる。
【００３７】
なお、本実施形態では、発熱性シート１２と内カバー１１との間の摩擦係数は、発熱性シート１２と第２クッション体１４との間の摩擦係数よりも小さい。上述の摩擦係数の関係は、本実施形態では、内カバー１１がメッシュカバーとされることによって実現されている。
【００３８】
また、本実施形態では、４つの収納体１２〜１５を内カバー１１から取り出すことができるとともに、４つの収納体１２〜１５はバラバラに分離することができる。このために、本実施形態のマットレス１は運搬性に優れる。
【００３９】
以上に示した実施形態は、本考案の例示にすぎない。以上に示した実施形態の構成は、本考案の技術的思想を超えない範囲で適宜変更されてよい。また、複数示した変形例の構成は、可能な範囲で組み合わされてもよい。
【００４０】
例えば、以上に示した実施形態では、内カバー１１に設けられる収納室１１０の数が４つとされたが、この数は複数であればよく、３つに限定される趣旨ではない。
【００４１】
また、以上に示した実施形態では、各収納室１１０に入れられる収納体は、原則、発熱性シート１２、第１のクッション体１３、第２のクッション体１４、及び、三次元網状構造体１５の４つであるが、その数はユーザの好みよって適宜変更されてよい。収納室１１０に収納される収納体の数は、ユーザの好みによって、上記の４つより少なくされてもよいし、多くされてもよい。
【００４２】
また、以上に示した実施形態では、第１クッション体１３、第２クッション体１４及び三次元網状構造体１５は、外周をカバーで覆われることなく、収納室１１０に直接収納された。しかし、これは例示にすぎない。第１クッション体１３、第２クッション体１４及び三次元網状構造体１５のうちの少なくともいずれか１つは、個別カバーに覆われて収納室１１０に収納されてよい。
【００４３】
図６は、本考案の他の実施形態に係る折り畳み式のマットレスの構成を説明するための概略断面図である。図６に示す構成では、第１クッション体１３、第２クッション体１４、及び、三次元網状構造体１５は、いずれも、個別カバー１６に覆われて収納室１１０に収納されている。各収納体１３〜１５が個別カバー１６によって覆われることにより、使用時において、各収納体１３〜１５が型崩れを起し難くすることができる。
【００４４】
なお、個別カバー１６は、通気性等を考慮してメッシュカバーであるのが好ましい。個別カバー１６は、外カバー１０及び内カバー１１と同様に、ファスナー等の開閉具によって開口部を開閉できる構成であるのが好ましい。個別カバー１６に用いる素材は、いずれの種類の収納体に対しても同じとしてもよいが、収納体の種類に合わせて変更してもよい。各個別カバー１６は、中に収納される収納体の種類に合わせて摩擦係数が異なる構成とされてよい。
【００４５】
図６に示す構成では、第１クッション体１３、第２クッション体１４及び三次元網状構造体１５のいずれもが個別カバー１６に収納されたが、これらのうちのいずれか１つ、或いは、いずれか２つだけが個別カバー１６に収納されてもよい。例えば、特に型崩れが生じやすい三次元網状構造体１５のみが個別カバー１６に収納される構成としてもよい。
【符号の説明】
【００４６】
１        マットレス
１０      外カバー（第２のカバー）
１１      内カバー（第１のカバー）
１２      発熱性シート（収納体）
１３      第１のクッション体（収納体）
１４      第２のクッション体（収納体）
１５      三次元網状構造体（収納体）
１６      個別カバー
１１０    収納室
１１０ａ  第２の開口部（開口部）
１１０ｂ  第２の開閉具（開閉具）
【図１】
0003208227.tif 000003
【図２】
0003208227.tif 000004
【図３】
0003208227.tif 000005
【図４】
0003208227.tif 000006
【図５】
0003208227.tif 000007
【図６】
0003208227.tif 000008